(57)【要約】【課題】  回路規模および生産コストを増大させることなく、妨害波を十分に除去することが可能なチューナを提供する。【解決手段】  チューナは、放送信号を受信して受信信号を出力する受信部１００と、受信信号をＩＦ信号に周波数変換するミキサ回路１５およびミキサ回路１７と、ＩＦ信号以外の周波数成分を減衰させるＳＡＷフィルタ２２と、ＩＦ信号以外の周波数成分が減衰したＩＦ信号を復調するアナログ放送用復調回路２３とを備え、ミキサ回路１５およびミキサ回路１７とＳＡＷフィルタ２２との間に、ミキサ回路１５およびミキサ回路１７から受けたＩＦ信号を同調するタンク回路５０と、同調されたＩＦ信号の隣接信号を減衰させて、隣接信号の減衰したＩＦ信号をＳＡＷフィルタ２２へ出力する隣接信号減衰回路５１とをさらに備える。【選択図】        図１
2006186830.tif 000002
【特許請求の範囲】
【請求項１】
放送信号を受信して受信信号を出力する受信部と、
前記受信信号をＩＦ信号に周波数変換するミキサ回路と、
前記ＩＦ信号以外の周波数成分を減衰させるフィルタ回路と、
前記ＩＦ信号以外の周波数成分が減衰したＩＦ信号を復調する復調回路とを備え、
前記ミキサ回路と前記フィルタ回路との間に、
前記ミキサ回路から受けたＩＦ信号を同調するタンク回路と、
前記同調されたＩＦ信号の隣接信号を減衰させて、前記隣接信号の減衰したＩＦ信号を前記フィルタ回路へ出力する隣接信号減衰回路とをさらに備えるチューナ。
【請求項２】
前記隣接信号減衰回路は前記ＩＦ信号の帯域より低い周波数の成分を減衰させるローパスフィルタである請求項１記載のチューナ。
【請求項３】
前記隣接信号減衰回路は前記ＩＦ信号の帯域より高い周波数の成分を減衰させるハイパスフィルタである請求項１記載のチューナ。
【請求項４】
前記放送信号は、地上波放送のアナログ放送の信号およびデジタル放送の信号ならびにケーブルテレビ放送のアナログ放送の信号およびデジタル放送の信号であって、
前記受信部は、
前記地上波放送の前記デジタル放送の信号を増幅する広帯域増幅器と、
前記地上波放送の前記デジタル放送の信号を受信すべき場合には前記増幅された信号を選択し、前記地上波放送の前記アナログ放送の信号を受信すべき場合には前記地上波放送の前記アナログ放送の信号を選択する第１のスイッチと、
前記地上波放送の信号を受信すべき場合には前記第１のスイッチで選択された信号を選択して前記受信信号として出力し、前記ケーブルテレビ放送の信号を受信すべき場合には前記ケーブルテレビ放送の前記アナログ放送の信号および前記デジタル放送の信号を選択して前記受信信号として出力する第２のスイッチとを含む請求項１記載のチューナ。
【請求項５】
前記チューナは、前記放送信号を２画面に表示するチューナであって、
前記受信部は、前記受信信号を分岐する分配器を含み、
前記ミキサ回路は、前記分岐された各受信信号をそれぞれＩＦ信号に周波数変換し、
前記タンク回路は、前記ミキサ回路から受けた各ＩＦ信号を同調し、
前記隣接信号減衰回路は、前記同調された各ＩＦ信号の隣接信号を減衰させて、前記隣接信号の減衰した各ＩＦ信号を前記フィルタ回路へ出力し、
前記フィルタ回路は、前記隣接信号減衰回路から受けた各ＩＦ信号以外の周波数成分を減衰させ、
前記復調回路は、前記各ＩＦ信号以外の周波数成分が減衰した各ＩＦ信号を復調する請求項１記載のチューナ。
【請求項６】
基板と、
筐体とを備え、
前記基板に貫通孔が形成され、
前記筐体の底面に対してほぼ垂直かまたは前記筐体の内側の方向に向かって前記筐体の側面から突き出て前記基板の貫通孔を貫通する貫通突起部が形成され、
前記基板の、前記貫通突起部の貫通先の面において前記基板および前記貫通突起部が半田付けされるチューナ。
【請求項７】
前記筐体の側面に前記筐体の側面の上端を切り欠く開口部が形成され、
前記筐体の底面に対してほぼ垂直に前記筐体の底面から離れる方向に突き出る前記貫通突起部が前記開口部の底面に形成される請求項６記載のチューナ。
【請求項８】
前記貫通突起部は、前記筐体の側面から前記筐体の内側に向かって前記筐体の側面に対してほぼ垂直に突き出た後に前記筐体の底面に対してほぼ垂直に前記底面から離れる方向に折れ曲がる請求項６記載のチューナ。
【発明の詳細な説明】
【技術分野】
【０００１】
本発明は、チューナに関し、特に妨害波除去性能を向上させるチューナに関する。
【背景技術】
【０００２】
アナログのテレビジョン放送が開始されて５０年が経過し、テレビの保有世帯が２０００万世帯から３０００万世帯となっている。日本ではようやく２００３年にデジタルの地上波放送が開始され、２０１１年にはアナログ放送が停止されることになっている。このような放送波数の増大に対応して、テレビジョン信号受信用チューナは、妨害波の除去性能の向上がますます要求されている。
【０００３】
テレビジョン信号受信用チューナは、たとえば米国向けのチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、バンドごとに受信回路を有する。ただし、バンドがどのように分割されるかは仕向け地により異なり、特に規定されていない。従来のテレビジョン信号受信用チューナでは、一般に、シングルコンバージョン方式（スーパーヘテロダイン方式）が用いられる。
【０００４】
ここで、シングルコンバージョン方式（スーパーヘテロダイン方式）とは、無線通信の受信機において、受信した高周波信号と局部発振信号を乗算することにより、高周波信号を、高周波信号と局部発振信号の周波数の差である中間周波数（ＩＦ（Intermediate Frequency）周波数）に周波数変換し、これを増幅したあとに復調等の受信処理を行なう方式である。
【０００５】
特許文献１記載の映像中間周波回路は、映像検波回路と映像増幅回路との間に音声キャリアの周波数よりも高い周波数成分を減衰させる減衰手段を配置する構成である。
【０００６】
また、特許文献２記載のチューナは、テレビジョン信号を中間周波信号に周波数変換する混合回路（ミキサ）および中間周波回路の間にＳＡＷ（Surface Acoustic Wave）フィルタを配置する構成である。
【０００７】
また、特許文献３記載のチューナは、第２の混合器（ミキサ）の前段に隣接帯域減衰手段を配置する構成である。
【０００８】
このような構成により、増幅器の歪みで発生する妨害波および妨害波となる隣接信号を減衰させることができる。ここで、隣接信号とは、選局されたチャネルに隣接するチャネル（以下、隣接チャネルという）の信号、すなわち、選局したチャネルの周波数帯域に対して、周波数軸において隣に位置するチャネルの信号のことである。以下、隣接信号のうち、選局されたチャネルに対して周波数軸で上側の周波数帯域のチャネルを上側隣接チャネルといい、上側隣接チャネルにおける信号を上側隣接信号という。また、隣接信号のうち、選局されたチャネルに対して周波数軸で下側の周波数帯域のチャネルを下側隣接チャネルといい、下側隣接チャネルにおける信号を下側隣接信号という。
【０００９】
図１４に従来のチューナの外観図を示す。
【００１０】
同図を参照して、このチューナは、筐体（シャーシ）Ｋ２１および基板Ｋ２２を備える。筐体Ｋ２１に基板Ｋ２２が挿入される。
【００１１】
筐体Ｋ２１に突起部Ｋ２３ａ〜突起部Ｋ２３ｆが形成される。
【００１２】
なお、以下において、突起部Ｋ２３ａ〜突起部Ｋ２３ｆを総称するときには符号Ｋ２３を用いる。
【００１３】
図１５に従来のチューナにおける筐体Ｋ２１および基板Ｋ２２の接合構造を示す。右側の図面は左側の図面に示す突起部Ｋ２３をａａの線で切断した断面を示す図である。
【００１４】
筐体Ｋ２１の側面に、筐体Ｋ２１の側面の上端を切り欠く開口部Ｋ２５が形成される。
【００１５】
突起部Ｋ２３が開口部Ｋ２５の底面に形成される。
【００１６】
突起部Ｋ２３は、筐体Ｋ２１の底面に対してほぼ垂直に筐体Ｋ２１の底面から離れる方向に突き出た後に、筐体Ｋ２１の底面から離れる方向および筐体Ｋ２１の内側へ向かって斜めに折れ曲がる。そして、突起部Ｋ２３の下面と基板Ｋ２２の上面とが接触する箇所の周辺を半田付けすることにより、突起部Ｋ２３および基板Ｋ２２が接合される。このような接合がチューナの複数箇所で行なわれることにより、筐体Ｋ２１と基板Ｋ２２とが接合される。
【特許文献１】特開２０００−３３３０９６号公報
【特許文献２】特開２０００−１６５２７６号公報
【特許文献３】特開平１１−９８０３７号公報
【発明の開示】
【発明が解決しようとする課題】
【００１７】
ところが、特許文献１記載の映像中間周波回路は、映像検波回路の出力、すなわち復調後の信号について妨害波を減衰させる構成であるため、テレビジョン信号の変調方式によっては復調前の信号について妨害波を減衰させる構成よりも減衰効果が小さいという問題点があった。
【００１８】
すなわち、テレビジョン信号の変調方式が、例えば同相（Ｉ相）成分および直交（Ｑ相）成分からなるＩＱ座標軸平面におけるシンボル点に送信データを変換する変調方式である場合には、復調前の信号について妨害波を減衰させる１個の減衰手段はＩ相成分およびＱ相成分の両成分について妨害波を減衰させる。これに対して、復調後の信号について妨害波を減衰させる１個の減衰手段はＩ相成分またはＱ相成分のいずれか一方について妨害波を減衰させる。したがって、復調前の信号についての１個の減衰手段の減衰比は信号の電力比に相当するが、復調後の信号についての１個の減衰手段の減衰比は信号の電圧比に相当することから、復調後の信号について妨害波を減衰させる構成の方が減衰効果が小さい。
【００１９】
また、特許文献２記載のチューナは、ＳＡＷフィルタのみで妨害波を除去する構成であるため、妨害波を十分に除去できないという問題点があった。これは、隣接信号の減衰比は６０ｄＢ以上必要とされる場合が多いが、ＳＡＷフィルタは隣接信号を４０ｄＢ〜５０ｄＢ減衰させるものが一般的だからである。また、隣接信号の減衰比を６０ｄＢ以上とするために、ＳＡＷフィルタを２個配置するか、または隣接信号の減衰比６０ｄＢ以上を実現するＳＡＷフィルタを配置すると、生産コストが増大してしまうという問題点があった。
【００２０】
また、特許文献３記載のチューナは、テレビジョン信号をＩＦ信号に周波数変換する回路を２個備える構成であるため、回路規模が増大するという問題点があった。
【００２１】
また、図１５に示す従来のチューナの接合構造では、半田が突起部Ｋ２３と基板Ｋ２２との接触箇所以外で突起部Ｋ２３につきにくいために筐体Ｋ２１および基板Ｋ２２の結合強度が小さく、妨害波を十分に除去できないという問題点があった。これは、筐体および基板の結合強度が小さいと、基板における回路の接地（アース）が弱くなり、ＳＡＷフィルタ等による隣接信号の減衰比が小さくなるからである。
【００２２】
それゆえに、本発明の目的は、回路規模および生産コストを増大させることなく、妨害波を十分に除去することが可能なチューナを提供することである。
【課題を解決するための手段】
【００２３】
上記課題を解決するために、この発明のある局面に係わるチューナは、放送信号を受信して受信信号を出力する受信部と、受信信号をＩＦ信号に周波数変換するミキサ回路と、ＩＦ信号以外の周波数成分を減衰させるフィルタ回路と、ＩＦ信号以外の周波数成分が減衰したＩＦ信号を復調する復調回路とを備え、ミキサ回路とフィルタ回路との間に、ミキサ回路から受けたＩＦ信号を同調するタンク回路と、同調されたＩＦ信号の隣接信号を減衰させて、隣接信号の減衰したＩＦ信号をフィルタ回路へ出力する隣接信号減衰回路とをさらに備える。
【００２４】
好ましくは、隣接信号減衰回路はＩＦ信号の帯域より低い周波数の成分を減衰させるローパスフィルタである。
【００２５】
好ましくは、隣接信号減衰回路はＩＦ信号の帯域より高い周波数の成分を減衰させるハイパスフィルタである。
【００２６】
好ましくは、放送信号は、地上波放送のアナログ放送の信号およびデジタル放送の信号ならびにケーブルテレビ放送のアナログ放送の信号およびデジタル放送の信号であって、受信部は、地上波放送のデジタル放送の信号を増幅する広帯域増幅器と、地上波放送のデジタル放送の信号を受信すべき場合には増幅された信号を選択し、地上波放送のアナログ放送の信号を受信すべき場合には地上波放送のアナログ放送の信号を選択する第１のスイッチと、地上波放送の信号を受信すべき場合には第１のスイッチで選択された信号を選択して受信信号として出力し、ケーブルテレビ放送の信号を受信すべき場合にはケーブルテレビ放送のアナログ放送の信号およびデジタル放送の信号を選択して受信信号として出力する第２のスイッチとを含む。
【００２７】
好ましくは、チューナは、放送信号を２画面に表示するチューナであって、受信部は、受信信号を分岐する分配器を含み、ミキサ回路は、分岐された各受信信号をそれぞれＩＦ信号に周波数変換し、タンク回路は、ミキサ回路から受けた各ＩＦ信号を同調し、隣接信号減衰回路は、同調された各ＩＦ信号の隣接信号を減衰させて、隣接信号の減衰した各ＩＦ信号をフィルタ回路へ出力し、フィルタ回路は、隣接信号減衰回路から受けた各ＩＦ信号以外の周波数成分を減衰させ、復調回路は、各ＩＦ信号以外の周波数成分が減衰した各ＩＦ信号を復調する。
【００２８】
また、この発明の別の局面に係わるチューナは、基板と、筐体とを備え、基板に貫通孔が形成され、筐体の底面に対してほぼ垂直かまたは筐体の内側の方向に向かって筐体の側面から突き出て基板の貫通孔を貫通する貫通突起部が形成され、基板の、貫通突起部の貫通先の面において基板および貫通突起部が半田付けされる。
【００２９】
好ましくは、筐体の側面に筐体の側面の上端を切り欠く開口部が形成され、筐体の底面に対してほぼ垂直に筐体の底面から離れる方向に突き出る貫通突起部が開口部の底面に形成される。
【００３０】
好ましくは、貫通突起部は、筐体の側面から筐体の内側に向かって筐体の側面に対してほぼ垂直に突き出た後に筐体の底面に対してほぼ垂直に底面から離れる方向に折れ曲がる。
【発明の効果】
【００３１】
本発明によれば、回路規模および生産コストを増大させることなく、妨害波を十分に除去することができる。
【発明を実施するための最良の形態】
【００３２】
以下、この発明の実施の形態について図面を参照して詳しく説明する。なお、図中同一符号は同一または相当部分を示す。
【００３３】
＜第１の実施の形態＞
［構成］
図１は、第１の実施の形態に係るシングルコンバージョン方式の地上波放送用チューナの構成を示す機能ブロック図である。同図を参照して、このチューナは、受信部１００と、ＵＨＦミキサ回路１５と、ＵＨＦ局部発振回路１８と、ＶＨＦミキサ回路１７と、ＶＨＦローバンド局部発振回路１６と、ＶＨＦハイバンド局部発振回路２０と、ハイバンド／ローバンド切替スイッチＳ４と、ＩＦ増幅回路２１と、ＳＡＷフィルタ２２と、アナログ放送用復調回路２３と、タンク回路５０と、隣接信号減衰回路５１とを備える。
【００３４】
受信部１００は、ハイパスフィルタ２と、入力切替回路３と、入力切替回路４と、ＡＧＣ（automatic gain control）抵抗Ｒ３１と、ＵＨＦ高周波増幅器９と、ＵＨＦ出力同調回路１２と、ＶＨＦハイバンド入力同調回路５と、ＶＨＦローバンド入力同調回路８と、ＡＧＣ抵抗Ｒ３３と、ＶＨＦ高周波増幅器１１と、ＶＨＦハイバンド出力同調回路１３と、ＶＨＦローバンド出力同調回路１４と、ハイバンド／ローバンド切替スイッチＳ１〜ハイバンド／ローバンド切替スイッチＳ３とを含む。
【００３５】
ここで、入力切替回路３および入力切替回路４は、図示しないバンド選択信号に基づいて、このチューナがＵＨＦバンドの信号（以下、ＵＨＦ信号という）を選択している場合（以下、ＵＨＦバンド選択時という）には入力切替回路３がＵＨＦ信号を抽出して出力し、ＶＨＦバンドの信号（以下、ＶＨＦ信号という）を選択している場合（以下、ＶＨＦバンド選択時という）には入力切替回路４がＶＨＦ信号を抽出して出力する。
【００３６】
［動作］
まず、ＵＨＦバンド選択時の、このチューナの動作について説明する。
【００３７】
ハイパスフィルタ２は、５ＭＨｚから４６ＭＨｚを減衰域とし、ＶＨＦローバンドの最低周波数である５４ＭＨｚ以上を通過域とするハイパスフィルタである。ハイパスフィルタ２は、入力端子１から受信した地上波放送のテレビジョン信号（放送信号）のうち、５ＭＨｚから４６ＭＨｚの周波数成分を減衰させる。
【００３８】
入力切替回路３は、ハイパスフィルタ２を通過したテレビジョン信号（放送信号）からＵＨＦ信号を抽出して出力する。
【００３９】
ＵＨＦ入力同調回路６は、図示しない選局信号に基づいて特定のチャネルの周波数を選択し、入力切替回路３から受けたＵＨＦ信号を同調して出力する。ここで、同調とは、ある特定の周波数の成分をもつ信号を共振により増幅させることをいい、その周波数以外の成分を相対的に減衰させる効果を有する。
【００４０】
ＡＧＣ抵抗Ｒ３１は、ＡＧＣ端子３０とＵＨＦ高周波増幅器９との間に接続される。ＡＧＣ端子３０には、アナログ放送用復調回路２３から供給される利得制御電圧が入力される。
【００４１】
ＵＨＦ高周波増幅器９は、ＡＧＣ端子３０からＡＧＣ抵抗Ｒ３１を介して印加される利得制御電圧に基づいて、ＵＨＦ入力同調回路６から受けたＵＨＦ信号を増幅する。
【００４２】
ＵＨＦ出力同調回路１２は、図示しない選局信号に基づいて特定のチャネルの周波数を選択し、ＵＨＦ高周波増幅器９から受けたＵＨＦ信号を同調する。
【００４３】
ＵＨＦミキサ回路１５は、ＵＨＦ局部発振回路１８から局部発振信号を受けて、ＵＨＦ出力同調回路１２から受けたＵＨＦ信号をＩＦ信号に周波数変換する。
【００４４】
タンク回路５０は、ＵＨＦミキサ回路１５から受けたＩＦ信号を同調して出力する。
【００４５】
隣接信号減衰回路５１は、タンク回路５０から受けたＩＦ信号の隣接信号を減衰させる。
【００４６】
ＩＦ増幅回路２１は隣接信号減衰回路５１から受けたＩＦ信号を増幅する。
【００４７】
ＳＡＷフィルタ２２はバンドパスフィルタであり、ＩＦ増幅回路２１から受けたＩＦ信号以外の周波数成分を減衰させる。
【００４８】
アナログ放送用復調回路２３は、ＳＡＷフィルタ２２から受けたＩＦ信号から、ＩＦ帯における映像信号用の所定の帯域からなるＩＦ信号（ＩＦ帯の映像帯域信号という）を抽出する。また、アナログ放送用復調回路２３は、ＳＡＷフィルタ２２から受けたＩＦ信号から、ＩＦ帯における音声信号用の所定の帯域からなるＩＦ信号（ＩＦ帯の音声帯域信号という）を抽出する。そして、アナログ放送用復調回路２３は、これらのＩＦ信号をベースバンド帯へ周波数変換して復調を行ない、ベースバンド帯の映像帯域信号およびベースバンド帯の音声帯域信号を生成して出力する。また、これらのＩＦ信号または復調したベースバンド帯の音声帯域信号もしくは映像帯域信号のレベルに応じて利得制御電圧を生成し、ＡＧＣ端子３０を介してＵＨＦ高周波増幅器９へ出力する。
【００４９】
次に、ＶＨＦバンド選択時の、このチューナの動作について説明する。
【００５０】
入力切替回路４は、ハイパスフィルタ２を通過したテレビジョン信号（放送信号）からＶＨＦ信号を抽出して出力する。
【００５１】
ハイバンド／ローバンド切替スイッチＳ１は、図示しないＶＨＦバンド選択信号に基づいて、入力切替回路４から受けたＶＨＦ信号をＶＨＦハイバンド信号としてＶＨＦハイバンド入力同調回路５へ出力するか、またはＶＨＦローバンド信号としてＶＨＦローバンド入力同調回路８へ出力する。
【００５２】
ＶＨＦハイバンド入力同調回路５は、ハイバンド／ローバンド切替スイッチＳ１から受けたＶＨＦハイバンド信号を同調して出力する。
【００５３】
一方、ＶＨＦローバンド入力同調回路８は、ハイバンド／ローバンド切替スイッチＳ１から受けたＶＨＦローバンド信号を同調して出力する。
【００５４】
ＡＧＣ抵抗Ｒ３３は、ＡＧＣ端子３０とＶＨＦ高周波増幅器１１との間に接続される。ＡＧＣ端子３０には、アナログ放送用復調回路２３から供給される利得制御電圧が入力される。
【００５５】
ＶＨＦ高周波増幅器１１は、ＡＧＣ端子３０からＡＧＣ抵抗Ｒ３３を介して印加される利得制御電圧に基づいて、ＶＨＦハイバンド入力同調回路５から受けたＶＨＦハイバンド信号またはＶＨＦローバンド入力同調回路８から受けたＶＨＦローバンド信号を増幅する。
【００５６】
ハイバンド／ローバンド切替スイッチＳ２は、図示しないＶＨＦバンド選択信号に基づいて、ＶＨＦ高周波増幅器１１から受けたＶＨＦハイバンド信号をＶＨＦハイバンド出力同調回路１３へ出力するかまたはＶＨＦ高周波増幅器１１から受けたＶＨＦローバンド信号をＶＨＦローバンド出力同調回路１４へ出力する。
【００５７】
ＶＨＦハイバンド出力同調回路１３は、ハイバンド／ローバンド切替スイッチＳ２から受けたＶＨＦハイバンド信号を同調して出力する。
【００５８】
ＶＨＦローバンド出力同調回路１４は、ハイバンド／ローバンド切替スイッチＳ２から受けたＶＨＦローバンド信号を同調して出力する。
【００５９】
ＶＨＦミキサ回路１７は、ハイバンド／ローバンド切替スイッチＳ４から局部発振信号を受けて、ハイバンド／ローバンド切替スイッチＳ３から受けたＶＨＦハイバンド信号またはＶＨＦローバンド信号をＩＦ信号に周波数変換する。
【００６０】
ここで、ハイバンド／ローバンド切替スイッチＳ４は、図示しないＶＨＦバンド選択信号に基づいて、ＶＨＦハイバンド信号を周波数変換するための局部発振信号を出力するＶＨＦハイバンド局部発振回路２０およびＶＨＦローバンド信号を周波数変換するための局部発振信号を出力するＶＨＦローバンド局部発振回路１６のいずれかを選択して出力する。
【００６１】
タンク回路５０は、ＶＨＦミキサ回路１７から受けたＩＦ信号を同調して出力する。
【００６２】
隣接信号減衰回路５１は、タンク回路５０から受けたＩＦ信号の隣接信号を減衰させる。
【００６３】
ＩＦ増幅回路２１は、隣接信号減衰回路５１から受けたＩＦ信号を増幅する。
【００６４】
ＳＡＷフィルタ２２はバンドパスフィルタであり、ＩＦ増幅回路２１から受けたＩＦ信号以外の周波数成分を減衰させる。
【００６５】
アナログ放送用復調回路２３は、ＳＡＷフィルタ２２から受けたＩＦ信号から、ＩＦ帯の映像帯域信号を抽出する。また、アナログ放送用復調回路２３は、ＳＡＷフィルタ２２から受けたＩＦ信号から、ＩＦ帯の音声帯域信号を抽出する。そして、アナログ放送用復調回路２３は、これらのＩＦ信号をベースバンド帯へ周波数変換して復調を行ない、ベースバンド帯の映像帯域信号およびベースバンド帯の音声帯域信号を生成して出力する。また、これらのＩＦ信号または復調したベースバンド帯の音声帯域信号もしくは映像帯域信号のレベルに応じて利得制御電圧を生成し、ＡＧＣ端子３０を介してＶＨＦ高周波増幅器１１へ出力する。
【００６６】
なお、図示しないバンド選択信号は、図示しない制御回路がこのチューナのＵＨＦバンドおよびＶＨＦバンドの選択に応じて生成し、出力するものである。また、図示しないＶＨＦバンド選択信号は、図示しない制御回路がこのチューナのＶＨＦハイバンドおよびＶＨＦローバンドの選択に応じて生成し、出力するものである。また、図示しない選局信号は、図示しない制御回路がこのチューナのチャネルの選択に応じて生成し、出力するものである。
【００６７】
次に、このチューナにおけるタンク回路５０および隣接信号減衰回路５１の具体例について説明する。
【００６８】
［具体例１］
［構成］
図２は、このチューナにおけるタンク回路５０および隣接信号減衰回路５１の具体的な構成および接続の一例を示す回路図である。同図を参照して、タンク回路５０は、コンデンサＣ１と、コンデンサＣ２と、コイルＬ１とを含む。隣接信号減衰回路５１は、コンデンサＣ４およびコンデンサＣ５と、コイルＬ２とを含む。
【００６９】
ＵＨＦミキサ回路１５およびＶＨＦミキサ回路１７の平衡出力の一方が、コンデンサＣ１の一端、コイルＬ１の一端およびコンデンサＣ３の一端に接続され、他方がコンデンサＣ２の一端およびコイルＬ１の他端に接続される。
【００７０】
コンデンサＣ１の他端およびコンデンサＣ２の他端が接地電位に接続される。
【００７１】
コンデンサＣ３の他端がコンデンサＣ４の一端およびコイルＬ２の一端に接続される。
【００７２】
コンデンサＣ４の他端、コイルＬ２の他端およびコンデンサＣ５の一端がＩＦ増幅回路２１の平衡入力の一方に接続される。
【００７３】
コンデンサＣ６の一端がＩＦ増幅回路２１の平衡入力の他方に接続される。
【００７４】
コンデンサＣ５の他端およびコンデンサＣ６の他端が接地電位に接続される。
【００７５】
コンデンサＣ３は、タンク回路５０および隣接信号減衰回路５１の整合用コンデンサである。
【００７６】
ここで、整合とは、信号源のインピーダンスと負荷のインピーダンスを等しくすることにより、負荷に供給される電力を最大にすることをいう。
【００７７】
コンデンサＣ１、コンデンサＣ２およびコイルＬ１は同調回路を構成する。
【００７８】
コンデンサＣ４、コンデンサＣ５およびコイルＬ２は誘導ｍ型ハイパスフィルタを構成する。
【００７９】
［動作］
コンデンサＣ１、コンデンサＣ２およびコイルＬ１からなる同調回路は、ＵＨＦミキサ回路１５またはＶＨＦミキサ回路１７から受けたＩＦ信号を同調して出力する。
【００８０】
コンデンサＣ４、コンデンサＣ５およびコイルＬ２からなる誘導ｍ型ハイパスフィルタは、コンデンサＣ１、コンデンサＣ２およびコイルＬ１からなる同調回路から受けたＩＦ信号の下側隣接信号を減衰させる。
【００８１】
［具体例２］
［構成］
図３は、このチューナにおけるタンク回路５０および隣接信号減衰回路５１の具体的な構成および接続の一例を示す回路図である。同図を参照して、隣接信号減衰回路５１は、コンデンサＣ７と、コイルＬ３と、コイルＬ４とを含む。
【００８２】
コンデンサＣ３の他端がコンデンサＣ７の一端およびコイルＬ３の一端に接続される。
【００８３】
コンデンサＣ７の他端、コイルＬ３の他端およびコイルＬ４の一端がＩＦ増幅回路２１の平衡入力の一方に接続される。
【００８４】
コイルＬ４の他端が接地電位に接続される。
【００８５】
コンデンサＣ６の一端がＩＦ増幅回路２１の平衡入力の他方に接続される。
【００８６】
コンデンサＣ５の他端およびコンデンサＣ６の他端が接地電位に接続される。
【００８７】
コンデンサＣ７、コイルＬ３およびコイルＬ４は誘導ｍ型ローパスフィルタを構成する。
【００８８】
［動作］
コンデンサＣ７、コイルＬ３およびコイルＬ４からなる誘導ｍ型ローパスフィルタは、コンデンサＣ１、コンデンサＣ２およびコイルＬ１からなる同調回路から受けたＩＦ信号の上側隣接信号を減衰させる。
【００８９】
具体例２におけるタンク回路５０の構成および動作は具体例１におけるタンク回路５０と同様である。
【００９０】
［具体例３］
［構成］
図４は、このチューナにおけるタンク回路５０および隣接信号減衰回路５１の具体的な構成および接続の一例を示す回路図である。同図を参照して、タンク回路５０は、コンデンサＣ１と、コンデンサＣ２と、コイルＬ１とを含む。隣接信号減衰回路５１は、コンデンサＣ８〜コンデンサＣ１０と、コイルＬ５と、コイルＬ６とを含む。
【００９１】
ＵＨＦミキサ回路１５およびＶＨＦミキサ回路１７の平衡出力の一方が、コンデンサＣ１の一端、コイルＬ１の一端およびコンデンサＣ３の一端に接続され、他方がコンデンサＣ２の一端、コンデンサＣ１３の一端およびコイルＬ１の他端に接続される。
【００９２】
コンデンサＣ１の他端およびコンデンサＣ２の他端が接地電位に接続される。
【００９３】
コンデンサＣ３の他端がコンデンサＣ８の一端およびコイルＬ５の一端に接続される。
【００９４】
コンデンサＣ８の他端、コイルＬ５の他端およびコンデンサＣ１０の一端がＩＦ増幅回路２１の平衡入力の一方に接続される。
【００９５】
コンデンサＣ１３の他端がコンデンサＣ９の一端およびコイルＬ６の一端に接続される。
【００９６】
コンデンサＣ９の他端、コイルＬ６の他端およびコンデンサＣ１０の他端がＩＦ増幅回路２１の平衡入力の他方に接続される。
【００９７】
コンデンサＣ３およびコンデンサＣ１３は、タンク回路５０および隣接信号減衰回路５１の整合用コンデンサである。
【００９８】
コンデンサＣ１、コンデンサＣ２およびコイルＬ１は同調回路を構成する。
【００９９】
コンデンサＣ８〜コンデンサＣ１０と、コイルＬ５と、コイルＬ６とは平衡型誘導ｍ型ハイパスフィルタを構成する。
【０１００】
［動作］
コンデンサＣ１、コンデンサＣ２およびコイルＬ１からなる同調回路は、ＵＨＦミキサ回路１５またはＶＨＦミキサ回路１７から受けたＩＦ信号を同調して出力する。
【０１０１】
コンデンサＣ８〜コンデンサＣ１０と、コイルＬ５と、コイルＬ６とからなる平衡型誘導ｍ型ハイパスフィルタは、コンデンサＣ１、コンデンサＣ２およびコイルＬ１からなる同調回路から受けたＩＦ信号の下側隣接信号を減衰させる。
【０１０２】
［具体例４］
［構成］
図５は、このチューナにおけるタンク回路５０および隣接信号減衰回路５１の具体的な構成および接続の一例を示す回路図である。同図を参照して、隣接信号減衰回路５１は、コンデンサＣ１１と、コンデンサＣ１２と、コイルＬ７〜コイルＬ９とを含む。
【０１０３】
コンデンサＣ３の他端がコンデンサＣ１１の一端およびコイルＬ７の一端に接続される。
【０１０４】
コンデンサＣ１１の他端、コイルＬ７の他端およびコイルＬ９の一端がＩＦ増幅回路２１の平衡入力の一方に接続される。
【０１０５】
コンデンサＣ１３の他端がコンデンサＣ１２の一端およびコイルＬ８の一端に接続される。
【０１０６】
コンデンサＣ１２の他端、コイルＬ８の他端およびコイルＬ９の他端がＩＦ増幅回路２１の平衡入力の他方に接続される。
【０１０７】
コンデンサＣ１１と、コンデンサＣ１２と、コイルＬ７〜コイルＬ９とは平衡型誘導ｍ型ローパスフィルタを構成する。
【０１０８】
［動作］
コンデンサＣ１１と、コンデンサＣ１２と、コイルＬ７〜コイルＬ９とからなる平衡型誘導ｍ型ローパスフィルタは、コンデンサＣ１、コンデンサＣ２およびコイルＬ１からなる同調回路から受けたＩＦ信号の上側隣接信号を減衰させる。
【０１０９】
具体例４におけるタンク回路５０の構成および動作は具体例３におけるタンク回路５０と同様である。
【０１１０】
図６に本実施の形態に係るチューナの隣接信号除去特性を示す。
【０１１１】
同図を参照して、縦軸が減衰量［ｄＢ］であり、横軸が周波数［ＭＨｚ］である。横軸におけるｐがこのチューナが選局するチャネルにおける映像信号の搬送波の周波数であり、ｃがこのチューナが選局するチャネルにおける映像副搬送波の周波数であり、ｓがこのチューナが選局するチャネルにおける音声信号の搬送波の周波数であり、ａｄｊ＿ｐが上側隣接チャネルにおける映像信号の搬送波の周波数であり、ａｄｊ＿ｓが下側隣接チャネルにおける音声信号の搬送波の周波数である。
【０１１２】
タンク回路５０および隣接信号減衰回路５１を配置した本実施の形態に係るチューナの隣接信号除去特性（実線）は、タンク回路５０および隣接信号減衰回路５１を配置しない従来のチューナの隣接信号除去特性（破線）と比べて大幅に改善していることが分かる。
【０１１３】
特許文献１の図２におけるチャネル８およびチャネル１０で示されているように、日本で採用されているアナログテレビジョン放送の標準方式である、ＮＴＳＣ（National Television System Communication）方式において、１チャネルは６ＭＨｚの帯域幅を有し、この１チャネルの帯域内に、映像信号や音声信号などの信号が存在し、帯域が分けられている。チャネル内で最も低い周波数を０Ｈｚと仮定したときの相対的な周波数は、映像信号の搬送波が１．２５ＭＨｚであって、音声信号の搬送波が５．７５ＭＨｚである。また、映像信号の帯域は、搬送波の下側が１．２５ＭＨｚ、上側が４．２５ＭＨｚであり、音声信号の帯域は、搬送波の下側及び上側でそれぞれ０．２５ＭＨｚである。
【０１１４】
これに対して、特許文献１の図２におけるチャネル９で示されているようにデジタルテレビジョン放送では帯域が分けられておらず、テレビジョン信号は５．６２ＭＨｚの帯域幅を有し、また、帯域内の信号レベルは均等である。また、地上波放送においてはアナログテレビジョン信号よりもデジタルテレビジョン信号の方が一般にレベルが小さい。
【０１１５】
ここで、隣接チャネルがアナログテレビジョン信号である場合には、映像信号の搬送波の周波数を中心に減衰させれば隣接信号の減衰効果が十分に得られる場合が多いが、隣接チャネルがデジタルテレビジョン信号である場合には、アナログテレビジョン信号と比べて広帯域にわたって均等なレベルで隣接信号を減衰させる必要がある。このため、中心周波数において急峻な減衰特性を有するトラップを隣接信号減衰回路として配置する構成では隣接信号の減衰効果が十分に得られない。しかしながら、本実施の形態に係るチューナでは、ハイパスフィルタまたはローパスフィルタを隣接信号減衰回路とすることにより、隣接チャネルがデジタルテレビジョン信号の場合でも、妨害波である隣接信号を十分に除去することができる。
【０１１６】
なお、上記の具体例１〜具体例４では、隣接信号減衰回路５１はハイパスフィルタまたはローパスフィルタのいずれかである構成としたが、これに限定するものではなく、ハイパスフィルタおよびローパスフィルタを縦続接続する構成としてもよい。すなわち、具体例１の誘導ｍ型ハイパスフィルタおよび具体例２の誘導ｍ型ローパスフィルタを縦続接続して隣接信号減衰回路５１とすることができる。また、具体例３の平衡型誘導ｍ型ハイパスフィルタおよび具体例４の平衡型誘導ｍ型ローパスフィルタを縦続接続して隣接信号減衰回路５１とすることができる。
【０１１７】
このような構成により、上側隣接信号および下側隣接信号の両方を除去することができ、チューナの隣接信号除去特性をさらに向上することができる。
【０１１８】
ところで、特許文献１記載の映像中間周波回路は、映像検波回路の出力、すなわち復調後の信号について妨害波を減衰させる構成であるため、テレビジョン信号の変調方式によっては復調前の信号について妨害波を減衰させる構成よりも減衰効果が小さいという問題点があった。
【０１１９】
しかしながら、本実施の形態に係るチューナでは、アナログ放送用復調回路２３の前段でタンク回路５０および隣接信号減衰回路５１がＩＦ信号の同調および隣接信号の減衰を行ない、また、ＳＡＷフィルタ２２がＩＦ信号以外の周波数成分を減衰させることから、妨害波を十分に除去することができる。
【０１２０】
また、特許文献２記載のチューナは、ＳＡＷフィルタのみで妨害波を除去する構成であるため、妨害波を十分に除去できないという問題点があった。また、特許文献２記載のチューナは、ＳＡＷフィルタを２個配置するか、または隣接信号の減衰比６０ｄＢ以上を実現するＳＡＷフィルタを配置すると、生産コストが増大してしまうという問題点があった。
【０１２１】
また、特許文献３記載のチューナは、テレビジョン信号をＩＦ信号に周波数変換する回路を２個備える構成であるため、回路規模が増大するという問題点があった。
【０１２２】
しかしながら、本実施の形態に係るチューナでは、テレビジョン信号をＩＦ信号に周波数変換する回路を１個だけ備える構成であり、また、ＳＡＷフィルタ２２がＩＦ信号以外の周波数成分を減衰させるだけでなく、タンク回路５０および隣接信号減衰回路５１がＩＦ信号の同調および隣接信号の減衰を行なうことから、回路規模および生産コストを増大させることなく、妨害波を十分に除去することができる。
【０１２３】
次に、本発明の他の実施の形態について図面を用いて説明する。
【０１２４】
＜第２の実施の形態＞
本実施の形態は、地上波放送およびＣＡＴＶ（Cable Television）放送に対応し、かつ、画面を２個有する映像表示装置に対応するチューナに関する。
【０１２５】
［構成］
図７〜図９は、第２の実施の形態に係るシングルコンバージョン方式のチューナの構成を示す機能ブロック図を分割したものである。なお、本実施の形態に係るチューナは、図７に示す機能ブロック１つと、図８および図９に示す機能ブロック２つとで構成される。
【０１２６】
図７は、本実施の形態に係るチューナの一部の構成を示す機能ブロック図である。
【０１２７】
同図を参照して、このチューナは、受信部２００ａを備える。受信部２００ａは、ハイパスフィルタ２と、広帯域増幅器４１と、スイッチＳ５と、スイッチＳ６と、ハイパスフィルタ３７と、ローパスフィルタ３８と、広帯域増幅器３６と、分岐回路３４と、分配器３３とを含む。
【０１２８】
図８は、本実施の形態に係るチューナの一部の構成を示す機能ブロック図である。
【０１２９】
同図を参照して、このチューナは、受信部２００ｂと、ＵＨＦミキサ回路１５と、ＵＨＦ局部発振回路１８と、ＶＨＦミキサ回路１７と、ＶＨＦローバンド局部発振回路１６と、ＶＨＦハイバンド局部発振回路２０と、ハイバンド／ローバンド切替スイッチＳ４と、タンク回路５０と、隣接信号減衰回路５１とを備える。
【０１３０】
受信部２００ｂは、入力切替回路３と、入力切替回路４と、ＡＧＣ抵抗Ｒ３１と、ＵＨＦ高周波増幅器９と、ＵＨＦ出力同調回路１２と、ＶＨＦハイバンド入力同調回路５と、ＶＨＦローバンド入力同調回路８と、ＡＧＣ抵抗Ｒ３３と、ＶＨＦ高周波増幅器１１と、ＶＨＦハイバンド出力同調回路１３と、ＶＨＦローバンド出力同調回路１４と、ハイバンド／ローバンド切替スイッチＳ１〜ハイバンド／ローバンド切替スイッチＳ３とを含む。
【０１３１】
図９は、本実施の形態に係るチューナの一部の構成を示す機能ブロック図である。
【０１３２】
同図を参照して、このチューナは、ＩＦ増幅回路２１と、ＳＡＷフィルタ２２と、復調回路３００と、検波回路２７と、スイッチＳ７と、ＩＦ増幅器４２と、ＳＡＷフィルタ４３と、ＩＦ増幅器４４とを含む。
【０１３３】
復調回路３００は、アナログ放送用復調回路２３と、デジタル放送用復調回路４５とを含む。
【０１３４】
［動作］
ハイパスフィルタ２は、入力端子１から受信した地上波放送のテレビジョン信号（放送信号）のうち、５ＭＨｚから４６ＭＨｚの周波数成分を減衰させる。
【０１３５】
広帯域増幅器４１は、ハイパスフィルタ２から受けたテレビジョン信号（放送信号）を増幅して出力する。
【０１３６】
スイッチＳ５は、図示しないアナログ／デジタル選択信号がアナログテレビジョン信号を表わす場合にはハイパスフィルタ２から受けたテレビジョン信号を選択して出力し、図示しない放送選択信号がデジタルテレビジョン信号を表わす場合には広帯域増幅器４１から受けたテレビジョン信号を選択して出力する。
【０１３７】
これは、前述のように地上波放送においてはアナログテレビジョン信号よりもデジタルテレビジョン信号の方が一般にレベルが小さいため、スイッチＳ５より後段の回路において両信号のレベルが均等になるようにレベルを調整するためである。
【０１３８】
ローパスフィルタ３８は、入力端子３９から受けた上り通信用信号の帯域より低い周波数の信号成分を減衰させる。
【０１３９】
ハイパスフィルタ３７は、ローパスフィルタ３８から受けた上り通信用信号を減衰させ、また、入出力端子４０から受信したＣＡＴＶ放送の下り信号を通過させる。したがって、上り通信用信号はハイパスフィルタ３７を通過せず、入出力端子４０から送信される。
【０１４０】
広帯域増幅器３６は、ハイパスフィルタ３７から受けた下り信号を増幅して出力する。
【０１４１】
分離回路３４は、下り信号をテレビジョン信号と下り通信用信号とに分離して、テレビジョン信号をスイッチＳ６へ出力し、下り通信用信号を出力端子３５に出力する。
【０１４２】
スイッチＳ６は、図示しない地上波／ＣＡＴＶ選択信号が地上波放送を表わす場合にはスイッチＳ５から受けたテレビジョン信号を選択して分配器３３へ出力し、図示しない地上波／ＣＡＴＶ選択信号がＣＡＴＶ放送を表わす場合には分岐回路３４から受けたテレビジョン信号を選択して分配器３３へ出力する。
【０１４３】
分配器３３は、スイッチＳ６から受けたテレビジョン信号を図８および図９に示す構成を有する２つの回路へ出力する。このような構成により、画面を２個有する映像表示装置に対応することができる。
【０１４４】
検波回路２７は、ＩＦ増幅回路２１から受けたＩＦ信号を包絡線検波する、すなわち、ＩＦ信号のピークを結んでできる曲線から受信レベルを検出する。そして、検波回路２７は、ＩＦ信号の受信レベルに応じて利得制御電圧を生成し、出力する。
【０１４５】
スイッチＳ７は、図示しないＡＧＣ選択信号に基づいて、アナログ放送用復調回路２３から受けた利得制御電圧または検波回路２７から受けた利得制御電圧のいずれか一方を選択し、ＡＧＣ端子３０を介してＵＨＦ高周波増幅器９およびＶＨＦ高周波増幅器１１へ出力する。
【０１４６】
ＩＦ増幅器４２は、ＩＦ増幅回路２２から受けたＩＦ信号を増幅して出力する。
【０１４７】
ＳＡＷフィルタ４３はバンドパスフィルタであり、ＩＦ増幅器４２から受けたＩＦ信号以外の周波数成分を減衰させる。
【０１４８】
ＩＦ増幅器４４は、ＳＡＷフィルタ４３から受けたＩＦ信号を増幅して出力する。
【０１４９】
デジタル放送用復調回路４５は、ＩＦ増幅器４４から受けたＩＦ信号から、ＩＦ帯の映像帯域信号を抽出する。また、デジタル放送用復調回路４５は、ＩＦ増幅器４４から受けたＩＦ信号から、ＩＦ帯の音声帯域信号を抽出する。そして、デジタル放送用復調回路４５は、これらのＩＦ信号をベースバンド帯へ周波数変換して復調を行ない、ベースバンド帯の映像帯域信号およびベースバンド帯の音声帯域信号を生成して出力する。
【０１５０】
なお、図示しない地上波／ＣＡＴＶ選択信号は、図示しない制御回路がこのチューナの地上波放送およびＣＡＴＶ放送の選択に応じて生成し、出力するものである。また、図示しないアナログ／デジタル選択信号は、図示しない制御回路がこのチューナのアナログ放送およびデジタル放送の選択に応じて生成し、出力するものである。また、図示しないＡＧＣ選択信号は、図示しない制御回路がこのチューナの利得制御電圧の選択に応じて生成し、出力するものである。
【０１５１】
その他の構成および動作は第１の実施の形態に係るチューナと同様である。
【０１５２】
したがって、本実施の形態に係るチューナは、第１の実施の形態に係るチューナと同様に、回路規模および生産コストを増大させることなく、妨害波を十分に除去することができる。
【０１５３】
さらに、本実施の形態に係るチューナは、地上波放送におけるアナログ放送およびデジタル放送のテレビジョン信号ならびにＣＡＴＶ放送におけるアナログ放送およびデジタル放送のテレビジョン信号対応することができ、また、画面を２個有する映像表示装置に対応することができる。
【０１５４】
次に、本発明の他の実施の形態について図面を用いて説明する。
【０１５５】
＜第３の実施の形態＞
本実施の形態は、筐体および基板の接合構造を改善したチューナに関し、特に、筐体の側面で筐体および基板が接合するチューナに関する。
【０１５６】
［構成］
図１０に本実施の形態に係るチューナの外観図を示す。
【０１５７】
同図を参照して、このチューナは、筐体Ｋ１と、基板Ｋ２とを備える。筐体Ｋ１に基板Ｋ２が挿入される。基板Ｋ２には、第１の実施の形態または第２の実施の形態に係るチューナの構成を実現する回路が搭載される。
【０１５８】
筐体Ｋ１に貫通突起部Ｋ３ａ〜貫通突起部Ｋ３ｆが形成される。貫通突起部Ｋ３ａ〜貫通突起部Ｋ３ｆは、筐体Ｋ１の側面上で基板Ｋ２を貫通する。これにより、基板Ｋ２に部品を実装できる範囲が筐体Ｋ１の内側における基板Ｋ２の全範囲となり、部品を実装できる範囲を最大限確保することができる。ここで、基板Ｋ２の一部は筐体Ｋ１の側面からはみ出た状態となる。
【０１５９】
また、筐体Ｋ１に支持突起部Ｋ４ａ〜支持突起部Ｋ４ｄが形成され、基板Ｋ２を筐体Ｋ１の底面側から支える。
【０１６０】
なお、以下において、貫通突起部Ｋ３ａ〜貫通突起部Ｋ３ｆを総称するときには符号Ｋ３を用い、また、支持突起部Ｋ４ａ〜支持突起部Ｋ４ｄを総称するときには符号Ｋ４を用いる。
【０１６１】
図１１に本実施の形態に係るチューナにおける筐体Ｋ１および基板Ｋ２の接合構造を示す。右側の図面は左側の図面に示す貫通突起部Ｋ３をａａの線で切断した断面を示す図である。
【０１６２】
基板Ｋ２に貫通孔が形成される。
【０１６３】
筐体Ｋ１の側面に、筐体Ｋ１の側面の上端を切り欠く開口部Ｋ５が形成される。
【０１６４】
筐体Ｋ１の底面に対してほぼ垂直に筐体Ｋ１の底面から離れる方向に突き出る貫通突起部Ｋ３が開口部Ｋ５の底面に形成される。
【０１６５】
貫通突起部Ｋ３は基板Ｋ２の貫通孔を貫通する。
【０１６６】
基板Ｋ２の、貫通突起部Ｋ３の貫通先の面において基板Ｋ２および貫通突起部Ｋ３が半田付けされることにより、貫通突起部Ｋ３および基板Ｋ２が接合される。
【０１６７】
半田は貫通突起部Ｋ３の先端から注入する。このため、半田の表面張力によって貫通突起部Ｋ３に半田がつきやすい。すなわち、貫通突起部Ｋ３における半田の表面積が大きくなり、貫通突起部Ｋ３および基板Ｋ２の結合強度を大きくすることができる。
【０１６８】
また、基板Ｋ２の一部が筐体Ｋ１の開口部Ｋ５から筐体Ｋ１の外側に突き出ており、基板Ｋ２は開口部Ｋ５において筐体Ｋ１によって支えられる。
【０１６９】
筐体Ｋ１に支持突起部Ｋ４が形成され、支持突起部Ｋ４は基板Ｋ２を筐体Ｋ１の底面側から支える。
【０１７０】
貫通突起部Ｋ３の、基板Ｋ２の貫通孔を貫通した部分に絞り（ビート）Ｋ６が形成される。これにより、筐体Ｋ１から基板Ｋ２が抜け落ちることを防止することができる。
【０１７１】
ところで、図１５に示す従来のチューナの接合構造では、半田が突起部Ｋ２３と基板Ｋ２２との接触箇所以外で突起部Ｋ２３につきにくいために筐体Ｋ２１および基板Ｋ２２の結合強度が小さく、妨害波を十分に除去できないという問題点があった。しかしながら、本実施の形態に係るチューナでは、基板Ｋ２の、貫通突起部Ｋ３の貫通先の面において基板Ｋ２および貫通突起部Ｋ３が半田付けされることにより、貫通突起部Ｋ３における半田の表面積が大きくなり、貫通突起部Ｋ３および基板Ｋ２の結合強度を大きくすることができる。
【０１７２】
さらに、基板Ｋ２は開口部Ｋ５において筐体Ｋ１によって支えられる。また、筐体Ｋ１に支持突起部Ｋ４が形成され、支持突起部Ｋ４は基板Ｋ２を筐体Ｋ１の底面側から支える。これにより、基板Ｋ２の落下を防止するとともに、貫通突起部Ｋ３および基板Ｋ２の結合強度をさらに大きくすることができる。
【０１７３】
以上より、本実施の形態に係るチューナでは、筐体および基板の結合強度を大きくすることで、ＳＡＷフィルタ等による妨害波の減衰量が小さくなることを防ぎ、妨害波を十分に除去することができる。
【０１７４】
次に、本発明の他の実施の形態について図面を用いて説明する。
【０１７５】
＜第４の実施の形態＞
本実施の形態は、筐体および基板の接合構造を改善したチューナに関し、特に、筐体の内側で筐体および基板が接合するチューナに関する。
【０１７６】
図１２に本実施の形態に係るチューナの外観図を示す。
【０１７７】
同図を参照して、このチューナは、筐体Ｋ１１と、基板Ｋ１２とを備える。筐体Ｋ１１に基板Ｋ１２が挿入される。基板Ｋ１２には、第１の実施の形態または第２の実施の形態に係るチューナの構成を実現する回路が搭載される。
【０１７８】
筐体Ｋ１１に貫通突起部Ｋ１３ａ〜貫通突起部Ｋ１３ｆが形成される。貫通突起部Ｋ１３ａ〜貫通突起部Ｋ１３ｆは、筐体Ｋ１１の内側で基板Ｋ１２を貫通する。このため、本実施の形態に係るチューナは、第３の実施の形態に係るチューナに対して、基板Ｋ１２は筐体Ｋ１１の内側に収まった状態である。これにより、チューナを生産するのに必要な基板の面積が第３の実施の形態に係るチューナより小さくなり、生産コストの削減を図ることができる。
【０１７９】
また、筐体Ｋ１１に支持突起部Ｋ１４ａ〜支持突起部Ｋ１４ｄが形成され、基板Ｋ１２を筐体Ｋ１１の底面側から支える。
【０１８０】
なお、以下において、貫通突起部Ｋ１３ａ〜貫通突起部Ｋ１３ｆを総称するときには符号Ｋ１３を用い、また、支持突起部Ｋ１４ａ〜支持突起部Ｋ１４ｄを総称するときには符号Ｋ１４を用いる。
【０１８１】
図１３に本実施の形態に係るチューナにおける筐体Ｋ１１および基板Ｋ１２の接合構造を示す。右側の図面は左側の図面に示す貫通突起部Ｋ１３をａａの線で切断した断面を示す図である。
【０１８２】
基板Ｋ１２に貫通孔が形成される。
【０１８３】
筐体Ｋ１１の側面に、筐体Ｋ１１の側面の上端を切り欠く開口部Ｋ１５が形成される。
【０１８４】
貫通突起部Ｋ１３が開口部Ｋ１５の底面に形成される。
【０１８５】
貫通突起部Ｋ１３は、筐体Ｋ１１の側面から筐体Ｋ１１の内側に向かって筐体Ｋ１１の側面に対してほぼ垂直に突き出た後に筐体Ｋ１１の底面に対してほぼ垂直に筐体Ｋ１１の底面から離れる方向に折れ曲がる。
【０１８６】
貫通突起部Ｋ１３は基板Ｋ１２の貫通孔を貫通する。
【０１８７】
基板Ｋ１２の、貫通突起部Ｋ１３の貫通先の面において基板Ｋ１２および貫通突起部Ｋ１３が半田付けされることにより、貫通突起部Ｋ１３および基板Ｋ１２が接合される。
【０１８８】
半田は貫通突起部Ｋ１３の先端から注入する。このため、半田の表面張力によって貫通突起部Ｋ１３に半田がつきやすい。すなわち、貫通突起部Ｋ１３における半田の表面積が大きくなり、貫通突起部Ｋ１３および基板Ｋ１２の結合強度を大きくすることができる。
【０１８９】
また、基板Ｋ１２は、貫通突起部Ｋ１３の、筐体Ｋ１１の側面から筐体Ｋ１１の内側に向かって筐体Ｋ１１の側面に対してほぼ垂直に突き出た部分によって支えられる。
【０１９０】
筐体Ｋ１１に支持突起部Ｋ１４が形成され、支持突起部Ｋ１４は基板Ｋ１２を筐体Ｋ１１の底面側から支える。
【０１９１】
貫通突起部Ｋ１３の、基板Ｋ１２の貫通孔を貫通した部分に絞りＫ１６が形成される。これにより、筐体Ｋ１１から基板Ｋ１２が抜け落ちることを防止することができる。
【０１９２】
したがって、本実施の形態に係るチューナでは、第３の実施の形態に係るチューナと同様に、基板Ｋ１２の、貫通突起部Ｋ１３の貫通先の面において基板Ｋ１２および貫通突起部Ｋ１３が半田付けされることにより、貫通突起部Ｋ１３における半田の表面積が大きくなり、貫通突起部Ｋ１３および基板Ｋ１２の結合強度を大きくすることができる。
【０１９３】
さらに、基板Ｋ１２は、貫通突起部Ｋ１３の、筐体Ｋ１１の側面から筐体Ｋ１１の内側に向かって筐体Ｋ１１の側面に対してほぼ垂直に突き出た部分によって支えられる。また、筐体Ｋ１１に支持突起部Ｋ１４が形成され、支持突起部Ｋ１４は基板Ｋ１２を筐体Ｋ１１の底面側から支える。これにより、基板Ｋ１２の落下を防止するとともに、貫通突起部Ｋ１３および基板Ｋ１２の結合強度をさらに大きくすることができる。
【０１９４】
以上より、本実施の形態に係るチューナでは、第３の実施の形態に係るチューナと同様に、筐体および基板の結合強度を大きくすることで、ＳＡＷフィルタ等による妨害波の減衰量が小さくなることを防ぎ、妨害波を十分に除去することができる。
【０１９５】
［変形例］
本発明は、上記実施の形態に限定されるものではなく、たとえば以下の変形例も含まれる。
【０１９６】
（１）  ＳＡＷフィルタ２２
本発明の実施の形態に係るチューナでは、ＩＦ増幅回路２１から受けたＩＦ信号以外の周波数成分を減衰させるバンドパスフィルタとしてＳＡＷフィルタを配置したが、これに限定するものではない。ＳＡＷフィルタでなくても、他の種類のバンドパスフィルタまたはバンドパスフィルタと同様の機能を有する回路であれば、どのようなものでもよい。
【０１９７】
（２）  貫通突起部Ｋ３
本発明の第３の実施の形態に係るチューナでは、筐体Ｋ１の側面に、筐体Ｋ１の側面の上端を切り欠く開口部Ｋ５が形成される。また、筐体Ｋ１の底面に対してほぼ垂直に筐体Ｋ１の底面から離れる方向に突き出る貫通突起部Ｋ３が開口部Ｋ５の底面に形成される。しかしながら、このような構成に限定するものではない。
【０１９８】
開口部Ｋ５がなくても、貫通突起部Ｋ３が筐体Ｋ１の側面と結合し、かつ、貫通突起部Ｋ３が、筐体Ｋ１の底面に対してほぼ垂直に筐体Ｋ１の側面から突き出て基板Ｋ２の貫通孔を貫通する構成であればよい。このような構成でも、基板Ｋ２の、貫通突起部Ｋ３の貫通先の面において基板Ｋ２および貫通突起部Ｋ３が半田付けされることにより、貫通突起部Ｋ３における半田の表面積が大きくなり、貫通突起部Ｋ３および基板Ｋ２の結合強度を大きくすることができる。
【０１９９】
（３）  貫通突起部Ｋ１３
本発明の第４の実施の形態に係るチューナでは、筐体Ｋ１１の側面に、筐体Ｋ１１の側面の上端を切り欠く開口部Ｋ１５が形成される。また、貫通突起部Ｋ１３は、筐体Ｋ１１の側面から筐体Ｋ１１の内側に向かって筐体Ｋ１１の側面に対してほぼ垂直に突き出た後に筐体Ｋ１１の底面に対してほぼ垂直に筐体Ｋ１１の底面から離れる方向に折れ曲がる。しかしながら、このような構成に限定するものではない。
【０２００】
開口部Ｋ１５がなくても、貫通突起部Ｋ１３が筐体Ｋ１１の側面と結合し、かつ、貫通突起部Ｋ１３が、筐体Ｋ１１の内側の方向に向かって筐体Ｋ１１の側面から突き出て基板Ｋ１２の貫通孔を貫通する構成であればよい。このような構成でも、基板Ｋ１２の、貫通突起部Ｋ１３の貫通先の面において基板Ｋ１２および貫通突起部Ｋ１３が半田付けされることにより、貫通突起部Ｋ１３における半田の表面積が大きくなり、貫通突起部Ｋ１３および基板Ｋ１２の結合強度を大きくすることができる。
【０２０１】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【０２０２】
【図１】第１の実施の形態に係るシングルコンバージョン方式の地上波放送用チューナの構成を示す機能ブロック図である。
【図２】タンク回路５０および隣接信号減衰回路５１の具体的な構成および接続の一例を示す回路図である。
【図３】タンク回路５０および隣接信号減衰回路５１の具体的な構成および接続の一例を示す回路図である。
【図４】タンク回路５０および隣接信号減衰回路５１の具体的な構成および接続の一例を示す回路図である。
【図５】タンク回路５０および隣接信号減衰回路５１の具体的な構成および接続の一例を示す回路図である。
【図６】第１の実施の形態に係るチューナの隣接信号除去特性を示す図である。
【図７】第２の実施の形態に係るシングルコンバージョン方式のチューナの構成の一部を示す機能ブロック図である。
【図８】第２の実施の形態に係るシングルコンバージョン方式のチューナの構成の一部を示す機能ブロック図である。
【図９】第２の実施の形態に係るシングルコンバージョン方式のチューナの構成の一部を示す機能ブロック図である。
【図１０】第３の実施の形態に係るチューナの外観図である。
【図１１】第３の実施の形態に係るチューナにおける筐体Ｋ１および基板Ｋ２の接合構造を示す図である。
【図１２】第４の実施の形態に係るチューナの外観図である。
【図１３】第４の実施の形態に係るチューナにおける筐体Ｋ１１および基板Ｋ１２の接合構造を示す図である。
【図１４】従来のチューナの外観図である。
【図１５】従来のチューナにおける筐体Ｋ２１および基板Ｋ２２の接合構造を示す図である。
【符号の説明】
【０２０３】
１，３９  入力端子、３５  出力端子、４０  入出力端子、１００，２００ａ  受信部、１５  ＵＨＦミキサ回路、１８  ＵＨＦ局部発振回路、１７  ＶＨＦミキサ回路、１６  ＶＨＦローバンド局部発振回路、２０  ＶＨＦハイバンド局部発振回路、Ｓ１〜Ｓ４  ハイバンド／ローバンド切替スイッチ、２１  ＩＦ増幅回路、２２  ＳＡＷフィルタ、２３  アナログ放送用復調回路、５０  タンク回路、５１  隣接信号減衰回路、２  ハイパスフィルタ、３，４  入力切替回路、Ｒ３１，Ｒ３３  ＡＧＣ抵抗、９  ＵＨＦ高周波増幅器、１２  ＵＨＦ出力同調回路、５  ＶＨＦハイバンド入力同調回路、８  ＶＨＦローバンド入力同調回路、１１  ＶＨＦ高周波増幅器、１３  ＶＨＦハイバンド出力同調回路、１４  ＶＨＦローバンド出力同調回路、Ｃ１〜Ｃ１３  コンデンサ、Ｌ１〜Ｌ８  コイル、２００ａ，２００ｂ  受信部、３６，４１  広帯域増幅器、Ｓ５〜Ｓ７  スイッチ、３７  ハイパスフィルタ、３８  ローパスフィルタ、３４  分岐回路、３３  分配器、３００  復調回路、２７  検波回路、４２，４４  ＩＦ増幅器、４３  ＳＡＷフィルタ、４５  デジタル放送用復調回路、Ｋ１，Ｋ１１，Ｋ２１  筐体、Ｋ２，Ｋ１２，Ｋ２２  基板、Ｋ３ａ〜Ｋ３ｆ，Ｋ１３ａ〜Ｋ１３ｆ  貫通突起部、Ｋ２３ａ〜Ｋ２３ｆ  突起部、Ｋ４ａ〜Ｋ４ｆ，Ｋ１４ａ〜Ｋ１４ｆ  支持突起部、Ｋ５，Ｋ１５  開口部、Ｋ６，Ｋ１６  絞り。
【図１】
2006186830.tif 000003
【図２】
2006186830.tif 000004
【図３】
2006186830.tif 000005
【図４】
2006186830.tif 000006
【図５】
2006186830.tif 000007
【図６】
2006186830.tif 000008
【図７】
2006186830.tif 000009
【図８】
2006186830.tif 000010
【図９】
2006186830.tif 000011
【図１０】
2006186830.tif 000012
【図１１】
2006186830.tif 000013
【図１２】
2006186830.tif 000014
【図１３】
2006186830.tif 000015
【図１４】
2006186830.tif 000016
【図１５】
2006186830.tif 000017